【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
モノドメイン垂直配向型の液晶セルと、
前記液晶セルに駆動波形を印加する駆動装置と
を有し、
前記モノドメイン垂直配向型の液晶セルは、
相互に対向配置された第１及び第２の基板と、
前記第１及び第２の基板に挟まれた液晶層と、
前記第１の基板の前記液晶層側上方、及び、前記第２の基板の前記液晶層側上方に形成され、電圧無印加時において該液晶層の液晶分子に８８．５°以上８９．９°以下の範囲内のプレティルト角θｐが付与され、かつ該液晶層の液晶分子がモノドメイン配向するように、前記第１の基板側と前記第２の基板側の少なくとも一方に配向処理がなされた第１及び第２の垂直配向膜と
を有し、
前記駆動装置は、１／４デューティ以上のデューティ比、及び、フレーム周波数ｆを有するＡ波形を前記液晶セルに印加し、
前記フレーム周波数ｆは、前記プレティルト角θｐに応じて定められており、８８．５°≦θｐ＜８９．６°の場合は６０Ｈｚ以上であり、８９．６°≦θｐ≦８９．９°の場合は［１２０×（θｐ−８９．６）＋６０］Ｈｚ以上である液晶表示装置。
【請求項２】
前記Ａ波形のデューティ比が１／３２デューティ以上であり、８９．６°≦θｐ≦８９．９°の場合のフレーム周波数ｆが［６０×（θｐ−８９．６）＋６０］Ｈｚ以上である請求項１に記載の液晶表示装置。
【請求項３】
前記Ａ波形のデューティ比が１／１２０デューティ以上であり、８９．６°≦θｐ≦８９．９°の場合のフレーム周波数ｆが６０Ｈｚ以上である請求項１に記載の液晶表示装置。
【請求項４】
モノドメイン垂直配向型の液晶セルと、
前記液晶セルに駆動波形を印加する駆動装置と
を有し、
前記モノドメイン垂直配向型の液晶セルは、
相互に対向配置された第１及び第２の基板と、
前記第１及び第２の基板に挟まれた液晶層と、
前記第１の基板の前記液晶層側上方、及び、前記第２の基板の前記液晶層側上方に形成され、電圧無印加時において該液晶層の液晶分子に８８．５°以上８９．９°以下の範囲内のプレティルト角θｐが付与され、かつ該液晶層の液晶分子がモノドメイン配向するように、前記第１の基板側と前記第２の基板側の少なくとも一方に配向処理がなされた第１及び第２の垂直配向膜と
を有し、
前記駆動装置は、１／４デューティ以上のデューティ比、及び、フレーム周波数ｆを有するＢ波形を前記液晶セルに印加し、
前記フレーム周波数ｆは、前記プレティルト角θｐに応じて定められており、８８．５°≦θｐ＜８８．８°の場合は６０Ｈｚ以上であり、８８．８°≦θｐ≦８９．９°の場合は［３１２×（θｐ−８８．８）＋６０］Ｈｚ以上である液晶表示装置。
【請求項５】
前記Ｂ波形のデューティ比が１／３２デューティ以上であり、８８．８°≦θｐ≦８９．９°の場合のフレーム周波数ｆが［１６０×（θｐ−８８．８）＋６０］Ｈｚ以上である請求項４に記載の液晶表示装置。
【請求項６】
モノドメイン垂直配向型の液晶セルと、
前記液晶セルに駆動波形を印加する駆動装置と
を有し、
前記モノドメイン垂直配向型の液晶セルは、
相互に対向配置された第１及び第２の基板と、
前記第１及び第２の基板に挟まれた液晶層と、
前記第１の基板の前記液晶層側上方、及び、前記第２の基板の前記液晶層側上方に形成され、電圧無印加時において該液晶層の液晶分子に８８．５°以上８９．９°以下の範囲内のプレティルト角θｐが付与され、かつ該液晶層の液晶分子がモノドメイン配向するように、前記第１の基板側と前記第２の基板側の少なくとも一方に配向処理がなされた第１及び第２の垂直配向膜と
を有し、
前記駆動装置は、１／４デューティ以上のデューティ比、及び、フレーム周波数ｆを有するＢ波形を前記液晶セルに印加し、
前記フレーム周波数ｆは、前記プレティルト角θｐに応じて定められており、８８．５°≦θｐ＜８９．０°の場合は１００Ｈｚ以上であり、８９．０°≦θｐ≦８９．９°の場合は［３１２×（θｐ−８９．０）＋１００］Ｈｚ以上である液晶表示装置。
【請求項７】
前記Ｂ波形のデューティ比が１／３２デューティ以上であり、８９．０°≦θｐ≦８９．９°の場合のフレーム周波数ｆが［１６０×（θｐ−８９．０）＋１００］Ｈｚ以上である請求項６に記載の液晶表示装置。
【請求項８】
前記Ｂ波形のデューティ比が１／１２０デューティ以上であり、８９．０°≦θｐ≦８９．９°の場合のフレーム周波数ｆが１００Ｈｚ以上である請求項６に記載の液晶表示装置。
【請求項９】
モノドメイン垂直配向型の液晶セルと、
前記液晶セルに駆動波形を印加する駆動装置と
を有し、
前記モノドメイン垂直配向型の液晶セルは、
相互に対向配置された第１及び第２の基板と、
前記第１及び第２の基板に挟まれた液晶層と、
前記第１の基板の前記液晶層側上方、及び、前記第２の基板の前記液晶層側上方に形成され、電圧無印加時において該液晶層の液晶分子に８８．５°以上８９．９°以下の範囲内のプレティルト角θｐが付与され、かつ該液晶層の液晶分子がモノドメイン配向するように、前記第１の基板側と前記第２の基板側の少なくとも一方に配向処理がなされた第１及び第２の垂直配向膜と
を有し、
前記駆動装置は、１／４デューティ以上のデューティ比、及び、フレーム周波数ｆを有し、極性反転ライン数Ｍが１以上でデューティ数の１／２以下であるＣ波形を前記液晶セルに印加し、
前記フレーム周波数ｆは、前記プレティルト角θｐに応じて定められており、８８．５°≦θｐ＜８９．２°の場合は６０Ｈｚ以上であり、８９．２°≦θｐ≦８９．９°の場合は［２１６×（θｐ−８９．２）＋６０］Ｈｚ以上である液晶表示装置。
【請求項１０】
前記Ｃ波形のデューティ比が１／３２デューティ以上であり、８９．２°≦θｐ≦８９．９°の場合のフレーム周波数ｆが［１１０×（θｐ−８９．２）＋６０］Ｈｚ以上である請求項９に記載の液晶表示装置。
【請求項１１】
前記Ｃ波形のデューティ比が１／１２０デューティ以上であり、８９．２°≦θｐ≦８９．９°の場合のフレーム周波数ｆが６０Ｈｚ以上である請求項９に記載の液晶表示装置。
【請求項１２】
モノドメイン垂直配向型の液晶セルと、
前記液晶セルに駆動波形を印加する駆動装置と
を有し、
前記モノドメイン垂直配向型の液晶セルは、
相互に対向配置された第１及び第２の基板と、
前記第１及び第２の基板に挟まれた液晶層と、
前記第１の基板の前記液晶層側上方、及び、前記第２の基板の前記液晶層側上方に形成され、電圧無印加時において該液晶層の液晶分子に８８．５°以上８９．９°以下の範囲内のプレティルト角θｐが付与され、かつ該液晶層の液晶分子がモノドメイン配向するように、前記第１の基板側と前記第２の基板側の少なくとも一方に配向処理がなされた第１及び第２の垂直配向膜と
を有し、
前記駆動装置は、１／４デューティ以上のデューティ比、及び、フレーム周波数ｆを有し、極性反転ライン数Ｍが１以上でデューティ数以下であるＣ波形を前記液晶セルに印加し、
前記フレーム周波数ｆは、前記プレティルト角θｐに応じて定められており、８８．５°≦θｐ＜８８．８°の場合は６０Ｈｚ以上であり、８８．８°≦θｐ≦８９．９°の場合は［３１２×（θｐ−８８．８）＋６０］Ｈｚ以上である液晶表示装置。
【請求項１３】
前記Ｃ波形のデューティ比が１／３２デューティ以上であり、８８．８°≦θｐ≦８９．９°の場合のフレーム周波数ｆが［１６０×（θｐ−８８．８）＋６０］Ｈｚ以上である請求項１２に記載の液晶表示装置。
【請求項１４】
モノドメイン垂直配向型の液晶セルと、
前記液晶セルに駆動波形を印加する駆動装置と
を有し、
前記モノドメイン垂直配向型の液晶セルは、
相互に対向配置された第１及び第２の基板と、
前記第１及び第２の基板に挟まれた液晶層と、
前記第１の基板の前記液晶層側上方、及び、前記第２の基板の前記液晶層側上方に形成され、電圧無印加時において該液晶層の液晶分子に８８．５°以上８９．９°以下の範囲内のプレティルト角θｐが付与され、かつ該液晶層の液晶分子がモノドメイン配向するように、前記第１の基板側と前記第２の基板側の少なくとも一方に配向処理がなされた第１及び第２の垂直配向膜と
を有し、
前記駆動装置は、１／４デューティ以上のデューティ比、及び、フレーム周波数ｆを有し、同時ライン選択数Ｎが２以上４以下であるＭＬＳ波形を前記液晶セルに印加し、
前記フレーム周波数ｆは、前記プレティルト角θｐに応じて定められており、８８．５°≦θｐ＜８９．３°の場合は６０Ｈｚ以上であり、８９．３°≦θｐ≦８９．９°の場合は［１５０×（θｐ−８９．３）＋６０］Ｈｚ以上である液晶表示装置。
【請求項１５】
前記ＭＬＳ波形のデューティ比が１／３２デューティ以上１／６３デューティ以下であり、８９．３°≦θｐ≦８９．９°の場合のフレーム周波数ｆが［７５×（θｐ−８９．３）＋６０］Ｈｚ以上である請求項１４に記載の液晶表示装置。
【請求項１６】
前記ＭＬＳ波形の同時ライン選択数Ｎが４であり、デューティ比が１／６４デューティ以上であり、８９．３°≦θｐ≦８９．９°の場合のフレーム周波数ｆが６０Ｈｚ以上である請求項１４に記載の液晶表示装置。
【請求項１７】
前記配向処理は、前記第１及び第２の垂直配向膜へのアンチパラレルのラビング処理である請求項１〜１６のいずれか１項に記載の液晶表示装置。
【請求項１８】
斜め電界配向制御マルチドメイン垂直配向型の液晶セルと、
前記液晶セルに駆動波形を印加する駆動装置と
を有し、
前記斜め電界配向制御マルチドメイン垂直配向型の液晶セルは、
相互に対向配置された第１及び第２の基板と、
前記第１及び第２の基板に挟まれた液晶層と、
前記第１の基板の前記液晶層側上方、及び、前記第２の基板の前記液晶層側上方にそれぞれ形成された第１及び第２の電極層であって、該第１及び第２の電極層には複数の開口が形成され、表示面内で、該第１の電極層に形成された開口と、該第２の電極層に形成された開口とが、一方向に交互に並ぶように配置された第１及び第２の電極層を有し、
前記駆動装置は、フレーム周波数が６０Ｈｚ以上のＡ波形を前記液晶セルに印加する液晶表示装置。
【請求項１９】
斜め電界配向制御マルチドメイン垂直配向型の液晶セルと、
前記液晶セルに駆動波形を印加する駆動装置と
を有し、
前記斜め電界配向制御マルチドメイン垂直配向型の液晶セルは、
相互に対向配置された第１及び第２の基板と、
前記第１及び第２の基板に挟まれた液晶層と、
前記第１の基板の前記液晶層側上方、及び、前記第２の基板の前記液晶層側上方にそれぞれ形成された第１及び第２の電極層であって、該第１及び第２の電極層には複数の開口が形成され、表示面内で、該第１の電極層に形成された開口と、該第２の電極層に形成された開口とが、一方向に交互に並ぶように配置された第１及び第２の電極層を有し、
前記駆動装置は、フレーム周波数が３００Ｈｚ以上のＢ波形を前記液晶セルに印加する液晶表示装置。
【請求項２０】
斜め電界配向制御マルチドメイン垂直配向型の液晶セルと、
前記液晶セルに駆動波形を印加する駆動装置と
を有し、
前記斜め電界配向制御マルチドメイン垂直配向型の液晶セルは、
相互に対向配置された第１及び第２の基板と、
前記第１及び第２の基板に挟まれた液晶層と、
前記第１の基板の前記液晶層側上方、及び、前記第２の基板の前記液晶層側上方にそれぞれ形成された第１及び第２の電極層であって、該第１及び第２の電極層には複数の開口が形成され、表示面内で、該第１の電極層に形成された開口と、該第２の電極層に形成された開口とが、一方向に交互に並ぶように配置された第１及び第２の電極層を有し、
前記駆動装置は、極性反転ライン数Ｍが１以上でデューティ数の１／２以下であり、フレーム周波数が２００Ｈｚ以上のＣ波形を前記液晶セルに印加する液晶表示装置。
【請求項２１】
斜め電界配向制御マルチドメイン垂直配向型の液晶セルと、
前記液晶セルに駆動波形を印加する駆動装置と
を有し、
前記斜め電界配向制御マルチドメイン垂直配向型の液晶セルは、
相互に対向配置された第１及び第２の基板と、
前記第１及び第２の基板に挟まれた液晶層と、
前記第１の基板の前記液晶層側上方、及び、前記第２の基板の前記液晶層側上方にそれぞれ形成された第１及び第２の電極層であって、該第１及び第２の電極層には複数の開口が形成され、表示面内で、該第１の電極層に形成された開口と、該第２の電極層に形成された開口とが、一方向に交互に並ぶように配置された第１及び第２の電極層を有し、
前記駆動装置は、極性反転ライン数Ｍが１以上でデューティ数以下であり、フレーム周波数が３００Ｈｚ以上のＣ波形を前記液晶セルに印加する液晶表示装置。
【請求項２２】
斜め電界配向制御マルチドメイン垂直配向型の液晶セルと、
前記液晶セルに駆動波形を印加する駆動装置と
を有し、
前記斜め電界配向制御マルチドメイン垂直配向型の液晶セルは、
相互に対向配置された第１及び第２の基板と、
前記第１及び第２の基板に挟まれた液晶層と、
前記第１の基板の前記液晶層側上方、及び、前記第２の基板の前記液晶層側上方にそれぞれ形成された第１及び第２の電極層であって、該第１及び第２の電極層には複数の開口が形成され、表示面内で、該第１の電極層に形成された開口と、該第２の電極層に形成された開口とが、一方向に交互に並ぶように配置された第１及び第２の電極層を有し、
前記駆動装置は、同時選択ライン数Ｎが２以上４以下であり、フレーム周波数が１５０Ｈｚ以上のＭＬＳ波形を前記液晶セルに印加する液晶表示装置。
【手続補正２】
【補正対象書類名】明細書
【補正対象項目名】００２０
【補正方法】変更
【補正の内容】
【００２０】
本発明の一観点によれば、モノドメイン垂直配向型の液晶セルと、前記液晶セルに駆動波形を印加する駆動装置とを有し、前記モノドメイン垂直配向型の液晶セルは、相互に対向配置された第１及び第２の基板と、前記第１及び第２の基板に挟まれた液晶層と、前記第１の基板の前記液晶層側上方、及び、前記第２の基板の前記液晶層側上方に形成され、電圧無印加時において該液晶層の液晶分子に８８．５°以上８９．９°以下の範囲内のプレティルト角θｐが付与され、かつ該液晶層の液晶分子がモノドメイン配向するように、前記第１の基板側と前記第２の基板側の少なくとも一方に配向処理がなされた第１及び第２の垂直配向膜とを有し、前記駆動装置は、１／４デューティ以上のデューティ比、及び、フレーム周波数ｆを有するＡ波形を前記液晶セルに印加し、前記フレーム周波数ｆは、前記プレティルト角θｐに応じて定められており、８８．５°≦θｐ＜８９．６°の場合は６０Ｈｚ以上であり、８９．６°≦θｐ≦８９．９°の場合は［１２０×（θｐ−８９．６）＋６０］Ｈｚ以上である液晶表示装置が提供される。